(57)【要約】【課題】  ディスプレイの限られた表示範囲内でウィンドウサイズを大きくすることができ、開かれたウィンドウの番号と表示されているウィンドウの数とを一目で把握することができ、ウィンドウの切り替え作業が容易な携帯情報端末、その表示制御方法およびプログラムを提供する。【解決手段】  制御部２０は、開かれたウィンドウの数とディスプレイ１４に表示中のウィンドウ番号とを視認可能とする番号キー４６ａ〜４６ｉを照らすＬＥＤ５０ａ〜５０ｉを点灯制御する。さらに、制御部２０は、番号キー４６ａ〜４６ｉの押下状態をチェックし、押下された番号キー４６ａ〜４６ｉに対応するウィンドウをディスプレイ１４の画面に表示する。【選択図】      図１
2006163499.tif 000002
【特許請求の範囲】
【請求項１】
１からｎまでの各番号に対応して設けられる複数の番号キーと、これら番号キー毎に設けられ、各々個別に点灯制御されて前記番号キーを照らすキー照明手段とを備え、複数のウィンドウをディスプレイ画面に表示する携帯情報端末であって、
開かれたウィンドウの数と前記ディスプレイ画面に表示中のウィンドウの番号とを視認可能とする前記番号キーを照らす前記キー照明手段を点灯制御するとともに、前記各番号キーの押下状態をチェックし、押下された番号キーに対応するウィンドウを前記ディスプレイ画面に表示する表示制御手段を
備えることを特徴とする携帯情報端末。
【請求項２】
前記キー照明手段に対する前記点灯制御は、前記表示中のウィンドウ番号に対応するキー照明手段を所定の周期で点滅させ、キー番号１から開かれたウィンドウ数までのキー照明手段の内、前記点滅させたキー照明手段を除く全てのキー照明手段を点灯させる制御であることを特徴とする請求項１記載の携帯情報端末。
【請求項３】
前記キー照明手段に対する前記点灯制御は、前記表示中のウィンドウ番号に対応するキー照明手段と、開かれたウィンドウ数に対応するキー照明手段とを点灯させる制御であることを特徴とする請求項１記載の携帯情報端末。
【請求項４】
１からｎまでの各番号に対応して設けられる複数の番号キーと、これら番号キー毎に設けられ、各々個別に点灯制御されて前記番号キーを照らすキー照明手段とを備え、複数のウィンドウをディスプレイ画面に表示する携帯情報端末の表示制御方法であって、
開かれたウィンドウの数と前記ディスプレイ画面に表示中のウィンドウの番号とを視認可能とする前記番号キーを照らす前記キー照明手段を点灯制御する第１過程と、
前記各番号キーの押下状態をチェックし、押下された番号キーに対応するウィンドウを前記ディスプレイ画面に表示する第２過程と、
を備えることを特徴とする携帯情報端末の表示制御方法。
【請求項５】
前記第１過程は、前記表示中のウィンドウ番号に対応するキー照明手段を所定の周期で点滅させ、キー番号１から開かれたウィンドウ数までのキー照明手段の内、前記点滅させたキー照明手段を除く全てのキー照明手段を点灯させる過程であることを特徴とする請求項４記載の携帯情報端末の表示制御方法。
【請求項６】
前記第１過程は、前記表示中のウィンドウ番号に対応するキー照明手段と、開かれたウィンドウ数に対応するキー照明手段とを点灯させる過程であることを特徴とする請求項４記載の携帯情報端末の表示制御方法。
【請求項７】
１からｎまでの各番号に対応して設けられる複数の番号キーと、これら番号キー毎に設けられ、各々個別に点灯制御されて前記番号キーを照らすキー照明手段とを備え、複数のウィンドウをディスプレイ画面に表示する携帯情報端末の表示制御プログラムであって、
開かれたウィンドウの数と前記ディスプレイ画面に表示中のウィンドウ番号とを視認可能とする前記番号キーを照らす前記キー照明手段を点灯制御する第１機能と、
前記各番号キーの押下状態をチェックし、押下された番号キーに対応するウィンドウを前記ディスプレイ画面に表示する第２機能と、
をコンピュータに実現させるための携帯情報端末の表示制御プログラム。
【請求項８】
前記第１機能は、前記表示中のウィンドウ番号に対応するキー照明手段を所定の周期で点滅させ、キー番号１から開かれたウィンドウ数までのキー照明手段の内、前記点滅させたキー照明手段を除く全てのキー照明手段を点灯させる機能であることを特徴とする請求項７記載の携帯情報端末の表示制御プログラム。
【請求項９】
前記第１機能は、前記表示中のウィンドウ番号に対応するキー照明手段と、開かれたウィンドウ数に対応するキー照明手段とを点灯させる機能であることを特徴とする請求項７記載の携帯情報端末の表示制御プログラム。
【発明の詳細な説明】
【技術分野】
【０００１】
本発明は、携帯電話やＰＨＳ等の携帯情報端末、その表示制御方法およびプログラムに関し、特に、複数のウィンドウをディスプレイ画面に表示する携帯情報端末、表示制御方法およびプログラムに関する。
【背景技術】
【０００２】
近年、例えば、特許文献１に示すように、複数のウィンドウを表示できる機能、いわゆるマルチウィンドウ機能を搭載した携帯情報端末が知られている。
【０００３】
マルチウィンドウ機能の代表的な方式としてタブ方式を挙げることができる。タブ方式は、図７に示すように、ウィンドウ表示領域Ａ内に内容表示１とタブ表示２とからなるウィンドウ３（ａ）〜３（ｃ）を表示する際、内容表示１部分を重ね合わせて表示するとともに、タブ表示２部分を各ウィンドウ３（ａ）〜３（ｃ）間で重ならないように表示させるものである。
【０００４】
このタブ方式は、図７から諒解されるように、見たいウィンドウ３（ａ）を画面最前に表示するとともに、開いている全てのウィンドウ３（ａ）〜３（ｃ）のタブ表示２を常に一覧表示する。このため、利用者は、ウィンドウの状態（すなわち、何枚のウィンドウが開き、何番目のウィンドウが表示されているか等の状態）を一目で把握することができる。すなわち、前記タブ方式は、ウィンドウ状態の視認性に優れている。さらに、表示させたいウィンドウを変更する場合、キーやポインティングデバイスの操作によりカーソルを移動させ、所望のタブ表示２をクリックするといった簡単な作業で済むなど、操作性にも優れている。
【０００５】
【特許文献１】特開２００３−２８３６３５号公報（［００２２］、図１）
【発明の開示】
【発明が解決しようとする課題】
【０００６】
しかしながら、前述したタブ方式の場合、タブ表示２の表示があるがためにウィンドウ表示領域Ａ内における内容表示１の占める割合が小さくなる課題を抱えている。このことは、ウィンドウの大画面表示に対する要望が高い携帯情報端末にとっては大きな問題である。
【０００７】
そこで、ウィンドウを大きく表示するために、例えば、図８に示すように、開かれたウィンドウ数表示Ｂと、ディスプレイに表示されているウィンドウの番号表示Ｃとを、ウィンドウサイズが小さくならないような場所、例えば、ディスプレイ表示画面における右上隅部分に小さく表示する方法がある。これならば、タブ表示が不要となり、ウィンドウをウィンドウ表示領域Ａ内いっぱいに表示することができる。
【０００８】
しかしながら、このような表示にした場合、ウィンドウの切り替え作業が前述したタブ方式に比して面倒になるという問題が発生する。すなわち、ウィンドウを切り替える際、キーやポインティングデバイス等を操作してカーソルを所定の場所（例えば、図９の数表示Ｂ）に移動させた後クリックしてウィンドウ一覧を表示したウィンドウ切替メニューＤ（図９参照）を別途開き、その中から所望のウィンドウを選択するといった面倒な作業が必要となる。
【０００９】
しかも、このような表示にした場合、図８および図９から諒解されるように、開かれたウィンドウの数表示Ｂと、ディスプレイに表示されているウィンドウの番号表示Ｃとは、他の様々な表示、例えば、バッテリ表示や電波強度表示等が同時に表示されているディスプレイに混在して表示される。従って、利用者は前記表示Ｂ、Ｃを一目で見分けるのが困難となり、携帯情報端末の操作に手間取るという、別の問題の発生が予想される。
【００１０】
そこで、見地を全く変えてみる。すなわち、ディスプレイ自体を大型化し、さらにウィンドウ切り替え専用のスイッチを別途設ければ、前述した様々な問題を解決することができる。しかしながら、このようなハードウェアの変更および追加は、コストの増大や筐体サイズの大型化等の別の新たな弊害をもたらすので、低廉で小型な製品の要求が他の製品よりも特に高い携帯情報端末には採用し難い。
【００１１】
本発明は、前記課題を解決するためになされたものであり、ディスプレイの限られた表示範囲内でウィンドウサイズを大きくすることができ、開かれたウィンドウの数と表示されているウィンドウの番号とを一目で把握することができ、しかもウィンドウの切り替え作業が容易な携帯情報端末、その表示制御方法およびプログラムを提供することを目的とする。
【課題を解決するための手段】
【００１２】
本発明の携帯情報端末は、１からｎまでの各番号に対応して設けられる複数の番号キーと、これら番号キー毎に設けられ、各々個別に点灯制御されて前記キーを照らすキー照明手段とを備え、複数のウィンドウをディスプレイ画面に表示する携帯情報端末であって、
開かれたウィンドウの数と前記ディスプレイ画面に表示中のウィンドウの番号とを視認可能とする前記番号キーを照らす前記キー照明手段を点灯制御するとともに、前記各番号キーの押下状態をチェックし、押下された番号キーに対応するウィンドウを前記ディスプレイ画面に表示する表示制御手段を備える。
【００１３】
この場合、前記キー照明手段に対する前記点灯制御は、前記表示中のウィンドウ番号に対応するキー照明手段を所定の周期で点滅させ、キー番号１から開かれたウィンドウ数までのキー照明手段の内、前記点滅させたキー照明手段を除く全てのキー照明手段を点灯させる制御であってもよい。
【００１４】
また、前記キー照明手段に対する前記点灯制御は、前記表示中のウィンドウ番号に対応するキー照明手段と、開かれたウィンドウ数に対応するキー照明手段とを点灯させる制御であってもよい。
【００１５】
本発明の携帯情報端末の表示制御方法は、１からｎまでの各番号に対応して設けられる複数の番号キーと、これら番号キー毎に設けられ、各々個別に点灯制御されて前記番号キーを照らすキー照明手段とを備え、複数のウィンドウをディスプレイ画面に表示する携帯情報端末の表示制御方法であって、
開かれたウィンドウの数と前記ディスプレイ画面に表示中のウィンドウの番号とを視認可能とする前記番号キーを照らす前記キー照明手段を点灯制御する第１過程と、
前記各番号キーの押下状態をチェックし、押下された番号キーに対応するウィンドウを前記ディスプレイ画面に表示する第２過程と、
を備える。
【００１６】
この場合、前記第１過程は、前記表示中のウィンドウ番号に対応するキー照明手段を所定の周期で点滅させ、キー番号１から開かれたウィンドウ数までのキー照明手段の内、前記点滅させたキー照明手段を除く全てのキー照明手段を点灯させる過程であってもよい。
【００１７】
さらに、前記第１過程は、前記表示中のウィンドウ番号に対応するキー照明手段と、開かれたウィンドウ数に対応するキー照明手段とを点灯させる過程であってもよい。
【００１８】
本発明の携帯情報端末の表示制御プログラムは、１からｎまでの各番号に対応して設けられる複数の番号キーと、これら番号キー毎に設けられ、各々個別に点灯制御されて前記番号キーを照らすキー照明手段とを備え、複数のウィンドウをディスプレイ画面に表示する携帯情報端末の表示制御プログラムであって、
開かれたウィンドウの数と前記ディスプレイ画面に表示中のウィンドウ番号とを視認可能とする前記番号キーを照らす前記キー照明手段を点灯制御する第１機能と、
前記各番号キーの押下状態をチェックし、押下された番号キーに対応するウィンドウを前記ディスプレイ画面に表示する第２機能と、
をコンピュータに実現させる。
【００１９】
この場合、前記第１機能は、前記表示中のウィンドウ番号に対応するキー照明手段を所定の周期で点滅させ、キー番号１から開かれたウィンドウ数までのキー照明手段の内、前記点滅させたキー照明手段を除く全てのキー照明手段を点灯させる機能であってもよい。
【００２０】
また、前記第１機能は、前記表示中のウィンドウ番号に対応するキー照明手段と、開かれたウィンドウ数に対応するキー照明手段とを点灯させる機能であってもよい。
【発明の効果】
【００２１】
本発明は、開かれたウィンドウの数と前記ディスプレイ画面に表示中のウィンドウ番号とを視認可能とする番号キーを照らすキー照明手段を点灯制御している。すなわち、本発明は、これらウィンドウに関する情報を、様々な情報が同時に表示されるがために一目で視認するのが困難なディスプレイに表示するのではなく、数字だけが印字されたシンプルな構成の番号キーで表現するようにしている。従って、利用者は、開かれたウィンドウの数と表示中のウィンドウの番号とを一目で把握することができる。
【００２２】
また、本発明は、番号キーの押下状態をチェックし、押下された番号キーに対応するウィンドウをディスプレイの画面に表示するようにしている。すなわち、表示されているウィンドウの切り替えは、番号キーを押下するといった簡単な作業で済む。従って、利用者は、ウィンドウ一覧を表示したメニューを別途開き、その中から所望のウィンドウを選択するといった面倒な作業から開放される。例えば、キーやポインティングデバイスの操作によりカーソルを移動させ所望のタブ表示をクリックする方法を採用するタブ方式よりもはるかに操作アクションが少ない。
【００２３】
さらに、表示ウィンドウの切り替えは、前述したように番号キーの押下によって行われるから、例えば、タブ方式におけるタブのようなウィンドウを切り替えるための表示が不要となる。従って、ウィンドウをディスプレイ画面の表示範囲内で最大限に表示することができ、ディスプレイデバイスを大きなものにする等、ハードウェアの変更をすることなく、ウィンドウの大画面表示の要請に応えることができる。
【発明を実施するための最良の形態】
【００２４】
本発明の最良の実施の形態について図面を参照して詳細に説明する。
【００２５】
図１は、本実施の形態の携帯情報端末１０の構成ブロック図を示す。携帯情報端末１０は、記憶部１２と、ディスプレイ１４と、操作部１６と、キー照明部１８と、制御部２０（表示制御手段）とを基本的に備えて構成される。
【００２６】
記憶部１２は、制御部２０を構成するＣＰＵ（Central Processing Unit）がアクセス可能な半導体メモリデバイス等で構成され、プログラム領域とデータ領域とを備える。プログラム領域には、制御部２０によって実行されるプログラムが格納され、データ領域には、例えば、住所録や着信メロディ等のデータが格納される。また、データ領域には、図２に示すウィンドウ管理データ４０が格納される。ウィンドウ管理データ４０の詳細については、後述する。
【００２７】
ディスプレイ１４は、ＬＣＤ（Liquid Crystal Display：液晶ディスプレイ）等の表示デバイスであり、制御部２０の制御に基づいて、文字、図形あるいは画像、もしくはこれらを含むウィンドウ等の視覚的情報を表示する。
【００２８】
操作部１６は、電源／終了キー４０、通話開始キー４２、メニュー項目の選択や決定を行うマルチダイヤルキー４４、および１から９までの番号に各々対応して設けられる９個の番号キー４６ａ〜４６ｉを備える。操作部１６は、これらキーの押下結果を示す信号を制御部２０に出力する。
【００２９】
キー照明部１８は、１から９までの番号キー４６ａ〜４６ｉ毎に設けられ、各々を照らすＬＥＤ（Light Emitting Diode）５０ａ〜５０ｉ（キー照明手段）で構成される。ＬＥＤ５０ａ〜５０ｉは、制御部２０によって各々個別に点灯制御（点灯、消灯、点滅等）される。
【００３０】
制御部２０は、ＣＰＵを基本的に備え、記憶部１２に記憶されたプログラムを実行し、携帯情報端末１０全体を制御する。制御部２０は、主に、操作部１６を構成する各種キーの入力検出、ディスプレイ１４への視覚的情報の出力、キー照明部１８を構成するＬＥＤ５０ａ〜５０ｉの点灯制御等ハードウェアに対する制御を行う。
【００３１】
また、制御部２０は、アプリケーションプログラムの動作状態や作業状態を表示するウィンドウをディスプレイ１４画面上に複数開くことができ、従って、制御部２０は、各種アプリケーションプログラム（すなわちウィンドウ）の起動や終了、あるいはＣＰＵリソースの割り当て等を行う。この場合、開かれたウィンドウの数とディスプレイ１４に表示されているウィンドウの番号とは、図２に示すウィンドウ管理データ４０に記憶され、制御部２０によって管理される。
【００３２】
ウィンドウ管理データ４０は、開かれているウィンドウの数を示す開ウィンドウ数データＸ（１≦Ｘ≦９）と、ディスプレイ１４画面上に表示されているウィンドウの番号を示す表示中ウィンドウ番号データＹ（１≦Ｙ≦Ｘ）とから構成される。なお、本実施の形態では、開かれたウィンドウの最大数を番号キー４６ａ〜４６ｉの最大値の９に合わせている。
【００３３】
前記アプリケーションプログラムとは、特定の作業をする（あるいは、特定の処理を実行する）ための個別のプログラムのことを指し、例えば、ｗｅｂブラウザ、電子メール、モバイルカメラ等のアプリケーションプログラムを挙げることができる。
【００３４】
本実施の形態の携帯情報端末１０は、基本的には以上のように構成されるものであり、次に、この携帯情報端末１０の動作について図３のフローチャートを用いて説明する。
【００３５】
まず、携帯情報端末１０の電源が投入されると、制御部２０は記憶部１２に格納されているプログラムを実行する。制御部２０は、各種ハードウェアの初期化を行うとともに、記憶部１２に格納されているウィンドウ管理データ４０を初期化（“０”クリア）する（ステップＳ１）。
【００３６】
次いで、制御部２０は、アプリケーションプログラムの起動および終了について、すなわち、ウィンドウが開かれたか、閉じられたか、あるいは何もされていないかについてチェックする（ステップＳ２）。
【００３７】
ウィンドウが開かれたと判断した場合（ステップＳ２の開判定）、制御部２０はウィンドウ管理データ４０を構成する開ウィンドウ数データＸを読み出し、その読み出したデータに１を加え、１を加えたデータを開ウィンドウ数データＸに書き込む（ステップＳ３）。さらに、制御部２０は、ステップＳ３において更新された開ウィンドウ数データＸの値を表示中ウィンドウ番号データＹに書き込む（ステップＳ４）。
【００３８】
制御部２０は、表示中ウィンドウ番号データＹが示す番号のウィンドウをディスプレイ１４画面上のウィンドウ表示領域Ｑ（図１参照）内に表示する（ステップＳ５）。
【００３９】
ウィンドウが閉じられたと判断した場合（ステップＳ２の閉判定）、制御部２０は開ウィンドウ数データＸを読み出し、読み出したデータから１を減じ、１を減じたデータを開ウィンドウ数データＸに書き込み（ステップＳ６）、ステップＳ７の処理を実行する。
【００４０】
ウィンドウの開閉動作が何もない場合（ステップＳ２の開閉なし判定）、制御部２０は、ステップＳ２の処理を繰り返す。
【００４１】
ここで、制御部２０は、開ウィンドウ数データＸが２以上であるか否かをチェックし、２以上であった場合はステップＳ８の処理を実行し、２未満であった場合はステップＳ２の処理を繰り返す（ステップＳ７）。
【００４２】
制御部２０は、表示中ウィンドウ番号データＹが示す番号に対応するＬＥＤ５０ａ〜５０ｉを所定周期で点滅させ、１番の番号キー４６ａから開ウィンドウ数データＸが示す番号に対応する番号キー４６ｂ〜４６ｉまでの全てのＬＥＤ５０ａ〜５０ｉの内、前記点滅させたＬＥＤ５０ａ〜５０ｉを除く全てのＬＥＤ５０ａ〜５０ｉを点灯させる（ステップＳ８）。
【００４３】
ステップＳ８の処理について、具体的に説明する。例えば、ステップＳ８の処理が実行される前の段階で、ウィンドウ管理データ４０には図４に示すようなデータが格納されているものとする。図４は、現在開いているウィンドウが５枚あり、そのうち３番目のウィンドウがディスプレイ１４画面上に表示されていることを示すものである。
【００４４】
まず、制御部２０は、図５に示すように、３番目のＬＥＤ５０ｃを所定周期（例えば、１秒オン／０．５秒オフ）で点滅させる。次いで、１番目のＬＥＤ５０ａ、２番目のＬＥＤ５０ｂ、４番目のＬＥＤ５０ｄおよび５番目のＬＥＤ５０ｅを点灯させる。開ウィンドウ数データＸ（この場合は、Ｘ＝５、図４参照）より大きな番号の番号キーのＬＥＤ、すなわち、６番目のＬＥＤ５０ｆから９番目のＬＥＤ５０ｉまではすべて消灯しているものとする（図５参照）。このようにして、制御部２０は、開かれたウィンドウの数と、ディスプレイ１４に表示中のウィンドウの番号とを視認可能とする番号キー４６ａ〜４６ｉを照らすＬＥＤ５０ａ〜５０ｉを点灯制御している。
【００４５】
次いで、制御部２０は、番号１から開ウィンドウ数データＸが示す番号までの番号キー４６ａ〜４６ｉが押されたか否かをチェックする（ステップＳ９）。前記いずれかの番号キー４６ａ〜４６ｉが押された場合、その押された番号が表示中ウィンドウ番号データＹと一致するか否かをチェックし（ステップＳ１０）、押された番号が表示中ウィンドウ番号データＹと異なる場合、押された番号キー４６ａ〜４６ｉの番号を表示中ウィンドウ番号データＹに格納する（新データＹを上書きする）（ステップＳ１１）。
【００４６】
ここで、制御部２０は、ステップＳ８と同様の処理を実行する（ステップＳ１２）。ステップＳ８の処理を実行することによって、押される前に点滅していた番号キー４６ａ〜４６ｉが点灯し、押された番号キー４６ａ〜４６ｉが新たに点滅することになる。すなわち、利用者は、ディスプレイ１４に表示中のウィンドウが切り替わったことを番号キー４６ａ〜４６ｉの点灯状態から視認することができる。
【００４７】
次いで、制御部２０は、表示中ウィンドウ番号データＹが示す番号のウィンドウをディスプレイ１４画面上のウィンドウ表示領域Ｑ（図１参照）内に表示する（ステップＳ１３）。
【００４８】
番号１から開ウィンドウ数データＸが示す番号までの番号キー４６ａ〜４６ｉが押されなかった場合（ステップＳ９のＮｏ判定）、および押された番号が表示中ウィンドウ番号データＹと同じであった場合（ステップＳ１０のＹｅｓ判定）、制御部２０はステップＳ２の処理を再度実行する。
【００４９】
以上説明した本実施の形態の携帯情報端末１０は、開かれたウィンドウ数と表示中のウィンドウの番号とを視認可能とする番号キー４６ａ〜４６ｉを照らすＬＥＤ５０ａ〜５０ｉを点灯制御している。すなわち、携帯情報端末１０は、これらウィンドウに関する情報を、様々な情報が表示されるために一目で見分けるのが困難なディスプレイ１４に表示するのではなく、数字のみが印字されているシンプルな構成の番号キー４６ａ〜４６ｉで表現するようにしている。従って、利用者は、開かれたウィンドウの数と、表示中のウィンドウの番号とを一目で把握することができる。
【００５０】
また、本実施の形態の携帯情報端末１０は、番号キー４６ａ〜４６ｉの押下状態をチェックし、開かれたウィンドウの各番号に対応する番号キー４６ａ〜４６ｉの内のいずれかの番号キー４６ａ〜４６ｉが押された際、該押された番号キー４６ａ〜４６ｉの番号に該当するウィンドウをディスプレイ１４に表示するようにしている。すなわち、表示ウィンドウの切り替えは、番号キー４６ａ〜４６ｉを押下するといった簡単な作業で済む。従って、利用者は、ウィンドウ一覧を表示したメニューを別途開き、その中から所望のウィンドウを選択するといった面倒な作業から開放される。例えば、キーやポインティングデバイスの操作によりカーソルを移動させ所望のタブ表示でクリックする方法を採用するタブ方式よりもはるかに操作アクションが少ない。
【００５１】
さらに、本実施の形態の携帯情報端末１０における表示ウィンドウの切り替えは、前述したように番号キー４６ａ〜４６ｉの押下のみによって行われるから、例えば、タブ方式におけるタブのようなウィンドウを切り替えるための表示が不要となる。従って、図１に示すように、ウィンドウをディスプレイ１４画面のウィンドウ表示領域Ｑ内で充分に大きく表示することができる。
【００５２】
ところで、ＬＥＤ５０ａ〜５０ｉの点灯制御は、図５に示す点灯パターンに限定されない。例えば、図６に示すように、表示中ウィンドウ番号データＹに対応するＬＥＤ（例えば、３番目のＬＥＤ５０ｃ）と、開ウィンドウ数データＸに対応するＬＥＤ（例えば、５番目のＬＥＤ５０ｅ）とを点灯させ、それ以外のＬＥＤ５０ａ、５０ｂ、５０ｄ、５０ｆ〜５０ｉをすべて消灯するようにしてもよい。なお、このように表示した際、点灯するＬＥＤが一つになる場合がある。それは、表示中のウィンドウが最後に開かれたウィンドウの場合（すなわち、開ウィンドウ数データＸ＝表示中ウィンドウ番号データＹの場合）である。
【００５３】
さらに、図６の点灯パターンを反転させた点灯制御であってもよい。すなわち、表示中のウィンドウの番号を示すＬＥＤ（図６においてＬＥＤ５０Ｃ）と、開かれたウィンドウの数を示すＬＥＤ（図６においてＬＥＤ５０ｅ）とを消灯し、それ以外のＬＥＤを点灯するようにしてもよい。
【００５４】
要するに、ＬＥＤ５０ａ〜５０ｉに対する点灯制御は、開かれたウィンドウの数と表示中のウィンドウの番号とを利用者が視認することができる点灯制御であればよい。すなわち、その点滅周期、点灯色、あるいは点灯照度等は任意に設定することができる。
【図面の簡単な説明】
【００５５】
【図１】本実施の形態に係わる携帯情報端末の概略構成図である。
【図２】ウィンドウ管理データのフォーマット図である。
【図３】図１に示す携帯情報端末の動作手順を説明するフローチャートである。
【図４】図２に示すウィンドウ管理データの具体的設定例である。
【図５】ウィンドウ管理データに図４に示す値が設定されている場合のＬＥＤ点灯パターンを説明するための番号キーの正面図である。
【図６】図５に示すＬＥＤ点灯パターンと異なる他のＬＥＤ点灯パターンを説明するための番号キーの正面図である。
【図７】タブ方式でマルチウィンドウ表示した従来の画面表示例である。
【図８】開いているウィンドウ数と表示されているウィンドウ番号とをディスプレイの片隅に表示した従来の画面表示例である。
【図９】ウィンドウ切替メニューを別途開いた状態を示す従来の画面表示例である。
【符号の説明】
【００５６】
１０    携帯情報端末
１２    記憶部
１４    ディスプレイ
１６    操作部
１８    キー照明部
２０    制御部
４０    ウィンドウ管理データ
４６ａ〜４６ｉ    番号キー
５０ａ〜５０ｉ    ＬＥＤ
Ｑ      ウィンドウ表示領域
【図１】
2006163499.tif 000003
【図２】
2006163499.tif 000004
【図３】
2006163499.tif 000005
【図４】
2006163499.tif 000006
【図５】
2006163499.tif 000007
【図６】
2006163499.tif 000008
【図７】
2006163499.tif 000009
【図８】
2006163499.tif 000010
【図９】
2006163499.tif 000011